(57)【要約】【課題】  いずれの受信機でも最適なテキストデータ表示を可能とし、情報を的確にユーザに伝達する。【解決手段】  このＦＭモジュレータの制御部は、入力部に入力された調整開始指示に基づいて、設定指示による設定時間でテキストデータが再生成されるように再生成部を制御してから、送信部を制御してテキストデータ及び音声データを受信機に送信させた後に、入力部に調整確定指示が入力された場合には所定時間の調整を完了する。【選択図】図１
2007324808.tif 000002
【特許請求の範囲】
【請求項１】
表示部を有する受信機に対して音声データとともに当該音声データの各種情報を表すテキストデータを送信するＦＭモジュレータであって、
外部の記録媒体再生装置から出力されたデジタルデータを基にして、前記音声データを生成する音声生成部と、
前記記録媒体再生装置から出力されたデジタルデータを基にして、前記テキストデータを生成する表示データ生成部と、
前記表示データ生成部で生成された前記テキストデータを単位文字列毎に分割し、各文字列が所定時間毎に送信されるように再生成する再生成部と、
前記再生成部で再生成された前記テキストデータ及び前記音声データを前記受信機に送信する送信部と、
前記テキストデータを前記受信機に送信する際の前記所定時間を調整するための調整開始指示、前記調整時における前記所定時間を設定するための設定指示及び前記所定時間の調整が確定させるための調整確定指示が入力される入力部と、
前記入力部に対する入力指示に基づいて前記再生成部、前記送信部を制御する制御部とを備え、
前記制御部は、
前記入力部に入力された前記調整開始指示に基づいて、前記設定指示による設定時間で前記テキストデータが再生成されるように前記再生成部を制御してから、前記送信部を制御して前記テキストデータ及び前記音声データを前記受信機に送信させた後に、前記入力部に前記調整確定指示が入力された場合には前記所定時間の調整を完了することを特徴とするＦＭモジュレータ。
【請求項２】
請求項１記載のＦＭモジュレータにおいて、
前記制御部は、
前記テキストデータ及び前記音声データを前記受信機に送信させた後に、再度前記入力部に前記設定指示が入力されて、前回と異なる前記所定時間が設定されると、当該設定時間毎に各文字列を送信させるための前記テキストデータが再生成されるように前記再生成部を制御してから、前記送信部を制御して前記テキストデータ及び前記音声データを前記受信機に送信させることを特徴とするＦＭモジュレータ。
【請求項３】
請求項１又は２記載のＦＭモジュレータにおいて、
前記再生成部で再生成される前記テキストデータがＲＤＳのＰＳデータであることを特徴とするＦＭモジュレータ。
【請求項４】
請求項１〜３の何れか一項に記載のＦＭモジュレータと、
前記ＦＭモジュレータから送信された前記テキストデータ及び前記音声データを受信し、かつ前記テキストデータを表示する表示部を有する受信機とを備えることを特徴とするテキストデータ転送システム。
【請求項５】
外部の記録媒体再生装置から出力されたデジタルデータを基にして、前記音声データを生成する音声データ生成工程と、
前記記録媒体再生装置から出力されたデジタルデータを基にして、前記テキストデータを生成するテキストデータ生成工程と、
前記テキストデータ生成工程で生成された前記テキストデータを単位文字列毎に分割し、各文字列が所定時間毎に送信されるように再生成する再生成工程と、
前記再生成工程で再生成された前記テキストデータ及び前記音声データ生成工程で生成された前記音声データを前記受信機に送信する送信工程と、
前記テキストデータを前記受信機に送信する際の前記所定時間を調整するための調整開始指示、前記調整時における前記所定時間を設定するための設定指示及び前記所定時間の調整が確定させるための調整確定指示が入力される入力工程とを有し、
前記入力工程で入力された前記調整開始指示に基づいて、前記再生成工程で前記設定指示による設定時間で前記テキストデータを再生成し、前記テキストデータ及び前記音声データを前記送信工程で前記受信機に送信させた後に、前記入力工程で前記調整確定指示が入力された場合には前記所定時間の調整を完了することを特徴とするテキストデータ転送方法。
【発明の詳細な説明】
【技術分野】
【０００１】
本発明は、ＦＭモジュレータ、テキストデータ転送システム及びテキストデータ転送方法に関する。
【背景技術】
【０００２】
従来、ＣＤ再生装置やＨＤＤプレーヤ等の音声再生装置で出力された音声信号をＦＭ波で転送し、当該ＦＭ波をラジオ等の受信機で受信させることで、受信機側での音楽信号を再生させるＦＭモジュレータが開発されている。
このようなＦＭモジュレータにおいては、各楽曲毎の情報（トラック番号、再生時間、タイトル、アーティスト名等）を音声再生装置から読み出して、テキストデータとして受信機に転送できるものも提案されている（例えば特許文献１参照）。ＦＭモジュレータは、テキストデータを所定の文字列毎に分割し、分割された文字列毎に転送している。この１文字列当たりの単位送り時間を時分割時間と呼ぶこととする。
【特許文献１】特開平９−２７５３５４号公報
【発明の開示】
【発明が解決しようとする課題】
【０００３】
ここで、受信機は、所定のテキスト確定時間によりテキストデータを確定させるようになっているが、このテキスト確定時間は機種毎に異なることがあるために、ＦＭモジュレータ側の時分割時間が受信機側のテキスト確定時間と違う場合には、テキストデータを受信したとしても正確な表示ができず、ユーザに情報がきちんと伝わらないおそれがあった。
【０００４】
本発明の課題は、受信機のテキスト確定時間に対応した時分割時間でテキストデータを転送させることで、いずれの受信機でも最適なテキストデータ表示を可能とし、情報を的確にユーザに伝達することである。
【課題を解決するための手段】
【０００５】
請求項１記載の発明は、
表示部を有する受信機に対して音声データとともに当該音声データの各種情報を表すテキストデータを送信するＦＭモジュレータであって、
外部の記録媒体再生装置から出力されたデジタルデータを基にして、前記音声データを生成する音声生成部と、
前記記録媒体再生装置から出力されたデジタルデータを基にして、前記テキストデータを生成する表示データ生成部と、
前記表示データ生成部で生成された前記テキストデータを単位文字列毎に分割し、各文字列が所定時間毎に送信されるように再生成する再生成部と、
前記再生成部で再生成された前記テキストデータ及び前記音声データを前記受信機に送信する送信部と、
前記テキストデータを前記受信機に送信する際の前記所定時間を調整するための調整開始指示、前記調整時における前記所定時間を設定するための設定指示及び前記所定時間の調整が確定させるための調整確定指示が入力される入力部と、
前記入力部に対する入力指示に基づいて前記再生成部、前記送信部を制御する制御部とを備え、
前記制御部は、
前記入力部に入力された前記調整開始指示に基づいて、前記設定指示による設定時間で前記テキストデータが再生成されるように前記再生成部を制御してから、前記送信部を制御して前記テキストデータ及び前記音声データを前記受信機に送信させた後に、前記入力部に前記調整確定指示が入力された場合には前記所定時間の調整を完了することを特徴としている。
【０００６】
請求項２記載の発明は、請求項１記載のＦＭモジュレータにおいて、
前記制御部は、
前記テキストデータ及び前記音声データを前記受信機に送信させた後に、再度前記入力部に前記設定指示が入力されて、前回と異なる前記所定時間が設定されると、当該設定時間毎に各文字列を送信させるための前記テキストデータが再生成されるように前記再生成部を制御してから、前記送信部を制御して前記テキストデータ及び前記音声データを前記受信機に送信させることを特徴としている。
【０００７】
請求項３記載の発明は、請求項１又は２記載のＦＭモジュレータにおいて、
前記再生成部で再生成される前記テキストデータがＲＤＳのＰＳデータであることを特徴としている。
【０００８】
請求項４記載のテキストデータ転送システムは、
請求項１〜３の何れか一項に記載のＦＭモジュレータと、
前記ＦＭモジュレータから送信された前記テキストデータ及び前記音声データを受信し、かつ前記テキストデータを表示する表示部を有する受信機とを備えることを特徴としている。
【０００９】
請求項５記載のテキストデータ転送方法は、
外部の記録媒体再生装置から出力されたデジタルデータを基にして、前記音声データを生成する音声データ生成工程と、
前記記録媒体再生装置から出力されたデジタルデータを基にして、前記テキストデータを生成するテキストデータ生成工程と、
前記テキストデータ生成工程で生成された前記テキストデータを単位文字列毎に分割し、各文字列が所定時間毎に送信されるように再生成する再生成工程と、
前記再生成工程で再生成された前記テキストデータ及び前記音声データ生成工程で生成された前記音声データを前記受信機に送信する送信工程と、
前記テキストデータを前記受信機に送信する際の前記所定時間を調整するための調整開始指示、前記調整時における前記所定時間を設定するための設定指示及び前記所定時間の調整が確定させるための調整確定指示が入力される入力工程とを有し、
前記入力工程で入力された前記調整開始指示に基づいて、前記再生成工程で前記設定指示による設定時間で前記テキストデータを再生成し、前記テキストデータ及び前記音声データを前記送信工程で前記受信機に送信させた後に、前記入力工程で前記調整確定指示が入力された場合には前記所定時間の調整を完了することを特徴としている。
【発明の効果】
【００１０】
本発明によれば、入力部に設定指示が入力されることで設定された設定時間によってテキストデータが再生成されるので、種々の設定時間に基づく所定時間でテキストデータを再生成し、受信機に送信することができる。そして、受信機のテキスト確定時間に対応した所定時間でテキストデータを転送させているのであれば、入力部に調整確定指示を入力することで、所定時間の調整が完了する。つまり、いずれの受信機でも最適なテキストデータ表示を可能とし、情報を的確にユーザに伝達することが可能となる。
【発明を実施するための最良の形態】
【００１１】
まず、以下の実施の形態について説明する。図１は、本発明に係るテキストデータ転送システムの概略構成を表すブロック図である。この図１に示すように、テキストデータ転送システム１には、本発明に係るＦＭモジュレータ１０と、ＦＭモジュレータ１０からの転送データを受信する受信機２０とが備えられている。
【００１２】
ＦＭモジュレータ１０には、例えば、ＣＤチェンジャーやＨＤＤプレイヤー等の外部の記録媒体再生装置３０が接続されていて、記録媒体再生装置から出力されたデジタルデータが入力されるようになっている。そして、ＦＭモジュレータ１０には、記録媒体再生装置３０から入力されたデジタルデータを基にして音声データを生成する音声生成部１１と、当該デジタルデータを基にしてテキストデータを生成する表示データ生成部１２とが設けられている。
【００１３】
音声生成部１１は、記録媒体再生装置３０から入力されたデジタルデータから音声部分を抽出することで、音声データを生成するようになっている。一方、表示データ生成部１２は、記録媒体再生装置３０から入力されたデジタルデータから各楽曲の情報部分を抽出することで、当該情報をテキストデータとして生成するようになっている。
【００１４】
また、ＦＭモジュレータ１０には、表示データ生成部１２で生成されたテキストデータを所定の時分割時間で送信されるように再生成する再生成部としてのラジオデータ生成部１３が設けられている。このラジオデータ生成部１３は、表示データ生成部１２で生成されたテキストデータを、単位文字列毎（例えば８文字の文字列毎）に分割されて各文字列が所定時間毎に送信されるＲＤＳ（Ｒａｄｉｏ  Ｄａｔａ  Ｓｙｓｔｅｍ）のＰＳデータに再生成するようになっている。これにより、各文字列が所定時間（時分割時間）で送信されることが可能になる。
【００１５】
また、ＦＭモジュレータ１０には、ラジオデータ生成部１３で再生成されたテキストデータ及び音声生成部１１で生成された音声データを受信機２０に送信する送信部としてのＦＭ変調部１４と、各種指示が入力される入力部１５と、入力部１５からの指示に基づいてラジオデータ生成部１３、表示データ生成部１２、ＦＭ変調部１４を制御する制御部１７とが設けられている。
【００１６】
入力部１５には、テキストデータを受信機２０に送信する際の時分割時間を調整するための調整開始指示、調整時における時分割時間を設定するための設定指示及び時分割時間の調整が確定させるための調整確定指示等が入力されるようになっている。
【００１７】
制御部１７は、入力部１５に対する指示に基づいて、各種制御を実行するようになっている。具体的には、制御部１７は、入力部１５に入力された調整開始指示に基づいて、表示データ生成部１２を制御してテキストデータを生成させて、ラジオデータ生成部１３に出力させる。その後、制御部１７は、設定指示による設定時間でテキストデータが再生成されるようにラジオデータ生成部１３を制御してから、ＦＭ変調部１４を制御してテキストデータ及び音声データを受信機２０に送信させた後に、入力部１５に調整確定指示が入力された場合には時分割時間の調整を完了するようになっている。また、制御部１７は、テキストデータ及び音声データを受信機に送信させた後に、再度入力部１５に設定指示が入力されて、前回と異なる時分割時間が設定されると、当該設定時間でテキストデータが再生成されるようにラジオデータ生成部を制御してから、ＦＭ変調部１４を制御してテキストデータ及び音声データを受信機２０に送信させるようになっている。
【００１８】
次に、受信機２０について説明する。
この受信機２０には、ＦＭモジュレータ１０から送信されたテキストデータ及び音声データを受信する受信部２１と、テキストデータを表示する表示部２２と、音声データを出力する音声出力部２３とが備えられている。
【００１９】
次に、本実施形態のテキストデータ転送システム１で実行されるテキストデータ転送方法について説明する。
【００２０】
まず、ＦＭモジュレータ１０に外部の記録媒体再生装置３０からデジタルデータが入力されると、音声生成部１１が当該デジタルデータから音声部分を抽出することで、音声データを生成する（音声データ生成工程）とともに、表示データ生成部１２がデジタルデータから各楽曲の情報部分を抽出することで当該情報をテキストデータとして生成する（テキストデータ生成工程）。
【００２１】
その後、制御部１７は、表示データ生成部１２で生成されたテキストデータが、従前に設定されていた時分割時間で送信されるように、ラジオデータ生成部１３を制御してテキストデータを再生成させる（再生成工程）。
【００２２】
その後、制御部１７は、ＦＭ変調部１４を制御して、再生成されたテキストデータと音声データとを受信機２０に送信させる（送信工程）。
【００２３】
受信機２０では、受信部２１で受信したテキストデータ及び音声データのうち、テキストデータが表示部２２に表示されるとともに、音声データが音声出力部２３で出力されることになる。
【００２４】
ここで、ユーザが表示部２２の表示内容を視認して、情報が正確に表示されていないと判断すると、入力部１５に対して調整開始指示を入力する（入力工程）。制御部１７は、この調整開始指示の入力に基づいて、時分割時間の調整を開始する。
【００２５】
図２は、時分割時間調整のフローチャートである。図２に示すように、時分割時間の調整が実行されると、制御部１７は、時分割時間の調整を開始する旨が受信機２０の表示部２２に十分な時間だけ表示されるように、ＦＭ変調部１４を制御して、時分割時間調整開始情報を受信機２０に送信させる（ステップＳ１）。
【００２６】
ステップＳ２では、制御部１７は、現在設定されている時分割時間の設定時間が表示部２２に十分な時間だけ表示されるように、ＦＭ変調部１４を制御して、設定時間情報を受信機２０に送信させる。
【００２７】
ステップＳ３では、制御部１７は、ラジオデータ生成部１３を制御して、設定時間に対応した時分割時間で送信されるようにテキストデータを再生成し（再生成工程）、ＦＭ変調部１４を制御してテキストデータを受信機２０に送信させる（送信工程）。この際、受信機２０の表示部２２では、設定時間に対応した時分割時間で送信されたテキストデータがテスト表示されることになる。
【００２８】
ステップＳ４では、ユーザは受信機２０の表示部２２を視認することで、テスト表示が正確に行われているか否かを判断し、その判断結果を入力部１５に入力する。制御部１７は、テスト表示が正確に行われている旨を表す判断結果（ＹＥＳ）が入力されている場合にはステップＳ５に移行して、テスト表示が行われていない旨を表す判断結果（ＮＯ）が入力されている場合にはステップＳ７に移行する。
【００２９】
ステップＳ５では、ユーザはテスト表示の内容を視認することで、現在の設定時間を時分割時間として確定するか否かを判断し、その判断結果により調整確定指示や設定指示を入力部１５に入力する。制御部１７は、調整確定指示が入力されている場合（ＹＥＳ）にはステップＳ６に移行して、再設定指示が入力されている場合（ＮＯ）にはステップＳ７に移行する。
【００３０】
ステップＳ６では、制御部１７は設定された時分割時間を確定させて、時分割時間調整を完了する。
【００３１】
ステップＳ７では、ユーザが前回と異なる時分割時間を入力部１５に入力するので、制御部１７は、前回と異なる時分割時間を設定時間として、ステップＳ２に移行する。これにより、前回と異なる時分割時間によってテキストデータが受信機２０に送信されることになる。
【００３２】
以上のように、本実施形態によれば、入力部１５に設定指示が入力されることで設定された設定時間によってテキストデータが再生成されるので、種々の設定時間に基づく時分割時間でテキストデータを再生成し、受信機２０に送信することができる。そして、受信機２０の形式に対応した時分割時間でテキストデータを転送させているのであれば、入力部１５に調整確定指示が入力されるために、時分割時間の調整が完了する。つまり、いずれの受信機でも最適なテキストデータ表示を可能とし、情報を的確にユーザに伝達することが可能となる。
【００３３】
また、テキストデータ及び音声データを受信機２０に送信させた後に、入力部１５に再度設定指示が入力されて、前回と異なる時分割時間が設定されると、その再度設定された設定時間でテキストデータが再生成されてから、当該テキストデータ及び音声データが受信機２０に送信されるので、時分割時間の調整を何度も行えるようになる。
なお、本発明は上記実施形態に限らず適宜変更可能であるのは勿論である。
【図面の簡単な説明】
【００３４】
【図１】本発明に係るテキストデータ転送システムの概略構成を表すブロック図である。
【図２】図１のテキストデータ転送システムの作用を表すフローチャートである。
【符号の説明】
【００３５】
１      テキストデータ転送システム
１０      モジュレータ
１１      音声生成部
１２      表示データ生成部
１３      ラジオデータ生成部（再生成部）
１４      ＦＭ変調部（送信部）
１５      入力部
１７      制御部
２０      受信機
２１      受信部
２２      表示部
２３      音声出力部
３０      記録媒体再生装置
【図１】
2007324808.tif 000003
【図２】
2007324808.tif 000004